(57)【特許請求の範囲】
【請求項１】
中空で側面に複数の孔を有し、内側に流入する流体を当該複数の孔を介して外側へ流出させる拡散ストレーナと、
前記拡散ストレーナの下流側に設けられ、複数の孔を有して前記拡散ストレーナから流出した流体の旋回流を除去する旋回流除去板と、
前記旋回流除去板の下流側に設けられ、複数の孔を有して前記旋回流除去板を通過した流体の偏流を除去する偏流除去板とを備えることを特徴とするパイロット式ガバナの２次側整流装置。
【発明の詳細な説明】
【技術分野】
【０００１】
この発明は、パイロット式ガバナの２次側で流体の流れを整える装置に関するものである。
【背景技術】
【０００２】
従来より、ガス等の流体が流れる流路に設けられて、２次側圧力を設定圧力に調整するパイロット式ガバナが知られている。パイロット式ガバナは、１次側から２次側へと流体を流すメインガバナと、メインガバナの開度を変化させる制御圧力を、感知した２次側圧力に応じて調整するパイロットガバナとを有する。パイロット式ガバナへの２次側圧力の伝達は、一端が２次側の配管に接続した整圧管を介して行われる。
パイロット式ガバナの動作の安定性のためには、流体の流れが安定した位置で整圧管を２次側の配管に接続する必要がある。このため、当該配管の内径をＤとすると、５Ｄ以上離れた位置で整圧管を当該配管に接続していた。図８は、パイロット式ガバナ５ａに対する整圧管６ａの設置状況を概略的に示した図である。しかし、このように整圧管６ａと２次側の配管との接続位置がパイロット式ガバナ５ａから離れていると、他の何らかの工事の際に整圧管６ａが破損される恐れがあった。また、パイロット式ガバナへの入れ替え等の際、５Ｄ以上離れた位置での接続を行うには細心の注意を要し、施工性が悪かった。
【０００３】
そこで、例えば特許文献１には、メインガバナの出口にレジューサを接続し、当該レジューサの下流側に整流板を設けた圧力制御装置が記載されている。このようにすることで、メインガバナの下流側に近接した位置で２次側圧力を取り出せるように図っている。
【先行技術文献】
【特許文献】
【０００４】
【特許文献１】特開平６−１３８９５２号公報
【発明の概要】
【発明が解決しようとする課題】
【０００５】
しかしながら、上記特許文献１に記載の構成では、整流板の面の広範囲に亘り流体を均等に流すのが難しく、整流板の中央部付近に集中して流体が流れやすかった。こうした事象は、流量が増えるほど特に顕著となり、中央部に更に集中的に流体が流れる。このように整流板の面の一部分に偏って流体が流れると、整流板による整流効果を十分に得ることはできない。
また、上記特許文献１のように１枚の整流板では、そもそも得られる整流効果が限定的であった。
【０００６】
この発明は、上記のような課題を解決するためになされたもので、整流効果の高いパイロット式ガバナの２次側整流装置を得ることを目的とする。
【課題を解決するための手段】
【０００７】
この発明に係るパイロット式ガバナの２次側整流装置は、中空で側面に複数の孔を有し、内側に流入する流体を当該複数の孔を介して外側へ流出させる拡散ストレーナと、拡散ストレーナの下流側に設けられ、複数の孔を有して拡散ストレーナから流出した流体の旋回流を除去する旋回流除去板と、旋回流除去板の下流側に設けられ、複数の孔を有して旋回流除去板を通過した流体の偏流を除去する偏流除去板とを備えることを特徴とするものである。
【発明の効果】
【０００８】
この発明によれば、拡散ストレーナ、その下流側に旋回流除去板、その下流側に偏流除去板を設けたので、高い整流効果を得ることができる。
【図面の簡単な説明】
【０００９】
【図１】この発明の実施の形態１に係るパイロット式ガバナの２次側整流装置を示す側面図である。
【図２】拡散ストレーナの側面図及び断面図である。
【図３】旋回流除去板の平面図である。
【図４】偏流除去板の平面図である。
【図５】旋回流除去板及び偏流除去板の断面図である。
【図６】この発明の実施の形態１に係るパイロット式ガバナの２次側整流装置を用いた際の、整圧管の設置状況を概略的に示す図である。
【図７】拡散ストレーナの変形例を示す側面図である。
【図８】従来の整圧管の設置状況を概略的に示す図である。
【発明を実施するための形態】
【００１０】
実施の形態１．
図１に、この発明の実施の形態１に係るパイロット式ガバナの２次側整流装置を示す。この２次側整流装置は、拡散ストレーナ１と、旋回流除去板２と、偏流除去板３とを有し、これらは配管４の内部に納められている。配管４の内部では、図１中のＡ方向にガス等の流体が流れる。配管４の上流つまり紙面上方には、不図示のパイロット式ガバナが設けられており、当該パイロット式ガバナにより流量制御された２次側の流体が、２次側の配管４に流入する。また、偏流除去板３よりも下流の位置で、整圧管６が配管４に接続している。
【００１１】
拡散ストレーナ１は、配管４の入口側に設けられる。図２（ａ）に拡散ストレーナ１の側面図を、また、図２（ｂ）には、図２（ａ）のＢ−Ｂ線に沿って拡散ストレーナ１を切断した際の断面図を示す。拡散ストレーナ１は、有底で略筒状の形状を成し、塞がれた底面１０に対向する上面１１は開口している。また、拡散ストレーナ１は、その側面に規則的に並ぶ複数の孔１２を有している。拡散ストレーナ１の端部のうち、上面１１側の端部は、図１に示す管部４０の端部と溶接等により固定され、配管４に流入した流体は、連続的に拡散ストレーナ１の内部へ流入する。拡散ストレーナ１に流入した流体は、複数の孔１２を介して拡散ストレーナ１の内側から外側へ流出する。側面に形成された複数の孔１２を通過することで、流体は拡散されて流出する。
【００１２】
旋回流除去板２は、拡散ストレーナ１の下流側に設けられる。図３に、旋回流除去板２の平面図を示す。旋回流除去板２は、複数の孔２０を有する円盤状の板材であり、複数の孔２０を通過させて流れ方向に平行な軸回りの回転成分を除去し、流体の旋回流を除去する。図示した複数の孔２０は、等間隔で規則的に並べられた同径の孔である。なお、旋回流除去板２の厚み、複数の孔２０の配列、孔径、孔ピッチ等は、配管４を流れる流体の旋回流を除去可能なように周知の理論を用いて適宜決められ、図示した例に限らない。
旋回流除去板２は、その周縁部２１を用いて配管４の内壁と溶接され、固定される。
【００１３】
偏流除去板３は、旋回流除去板２の下流側に設けられる。図４に、偏流除去板３の平面図を示す。偏流除去板３は、複数の孔３０を有する円盤状の板材であり、複数の孔３０を通過させて速度分布のずれを無くし、流体の偏流を除去する。図示した複数の孔３０は、同心円上に並べられた同径の孔である。これらの同心円は、図４に一点鎖線で示している。そして、隣り合う２つの同心円に挟まれた円環状の部分での各開口比率は、偏流除去板３の中心から外側に位置する円環状の部分でのものほど、低くなっている。また、複数の孔３０の個数は、複数の孔２０のものよりも少ない。なお、偏流除去板３の厚み、複数の孔３０の配列、孔径、孔ピッチ等は、配管４を流れる流体の偏流を除去可能なように周知の理論を用いて適宜決められ、図示した例に限らない。
偏流除去板３は、その周縁部３１を用いて配管４の内壁と溶接され、固定される。
【００１４】
図５は、配管４に設置された旋回流除去板２及び偏流除去板３を示す断面図である。旋回流除去板２は、偏流除去板３よりも厚く、複数の孔２０の孔径は、複数の孔３０のものよりも大きい。旋回流除去板２と偏流除去板３は、配管４の内径Ｄに対して例えば０．５Ｄ〜１Ｄ程度離れて設けられる。
【００１５】
図６は、パイロット式ガバナ５に対してこの発明の実施の形態１に係るパイロット式ガバナの２次側整流装置を用いた際の、整圧管６の設置状況を概略的に示した図である。
パイロット式ガバナ５は、周知の通り流体の流路に設けられて、メインガバナにより１次側から２次側へと流体を流すものである。このメインガバナの開度は、パイロット式ガバナ５を構成するパイロットガバナが供給する制御圧力により変化する。パイロットガバナは、メインガバナの１次側から分岐させた流体の流量を調整し、制御圧力としてメインガバナへ供給する。その際にパイロットガバナは、整圧管６によりパイロット式ガバナ５の２次側圧力を感知し、感知した２次側圧力に応じてその開度を変えて、制御圧力を変化させる。
【００１６】
拡散ストレーナ１と、旋回流除去板２と、偏流除去板３とを有する２次側整流装置は、パイロット式ガバナ５の２次側に設けられ、パイロット式ガバナ５を１次側から２次側へと通過した流体は、拡散ストレーナ１の開口した上面１１からその内部へと流入する。図２で示したように、拡散ストレーナ１の底面１０は塞がれていることから、拡散ストレーナ１へ流入した流体は、側面に設けられた複数の孔１２を介して拡散ストレーナ１の内側から外側へと流出する。このように、側面に設けられた複数の孔１２から流出することで、流体が拡散され、旋回流除去板２の面の広範囲に亘り流体が均等に流れ込む。拡散ストレーナ１によるこの拡散効果は、大流量のときも同様に機能し、旋回流除去板２の面の中央部に集中的に流体が流れるのを抑制する。
【００１７】
拡散ストレーナ１により拡散された流体は、次いで旋回流除去板２を通過することで旋回流が除去された状態となる。
その後、偏流除去板３を通過することになるが、まず最初に旋回流除去板２の上流で拡散ストレーナ１により拡散された流体は、このときも偏流除去板３の面の広範囲に亘り流体が均等に流れ込み、偏流除去板３の通過後は、偏流が除去された状態となる。
【００１８】
以上のようにして拡散ストレーナ１、旋回流除去板２、偏流除去板３を通過することで流体の流れが十分に整えられ、偏流除去板３から少なくとも２次側の配管４の内径Ｄ程度離れた位置で、整圧管６を接続することが可能となる。旋回流除去板２と偏流除去板３が、０．５Ｄ〜１Ｄ程度離れて設置されることを考慮しても、整圧管６と２次側の接続位置は、図８に示したものよりもパイロット式ガバナ５に近づけることができる。
【００１９】
なお、拡散ストレーナ１は、図２に示す形状に限らず、例えば図７に示すような形状であってもよい。図７では、フラスコ型で側面に複数の孔１２を有する拡散ストレーナ１を示している。要は、拡散ストレーナ１は、中空で側面に複数の孔１２を有し、内側に流入する流体を複数の孔１２を介して外側へ流出させるものであればよい。
【００２０】
また、旋回流除去板２及び偏流除去板３の固定方法として溶接を採用することで、コスト及び流体の漏れ防止という点で有利となるが、フランジによる固定方法を採用してもよい。この場合、周縁部２１を外周へ向けて更に延ばしてフランジとした旋回流除去板２を一端に有し、周縁部３１を外周へ向けて更に延ばしてフランジとした偏流除去板３を他端に有する配管を用意する。そして、当該配管を配管４の途中にフランジ接続して、配管４と共に連続的な２次側の配管を構成するように設置する。
【００２１】
以上のように、この発明の実施の形態１によれば、拡散ストレーナ１により流体が拡散されることで、旋回流除去板２及び偏流除去板３双方の面の広範囲に亘り流体が均等に流れ込み、高い整流効果を得ることができる。これにより、整圧管６と２次側の接続位置を、パイロット式ガバナ５に近づけることができ、整圧管６の設置、維持管理等が容易となる。
【００２２】
また、本願発明はその発明の範囲内において、実施の形態の任意の構成要素の変形、もしくは実施の形態の任意の構成要素の省略が可能である。
【符号の説明】
【００２３】
１  拡散ストレーナ
２  旋回流除去板
３  偏流除去板
４  配管
５  パイロット式ガバナ
６  整圧管
１０  底面
１１  上面
１２  孔
２０  孔
２１  周縁部
３０  孔
３１  周縁部
４０  管部
【図１】
0006472353.tif 000002
【図２】
0006472353.tif 000003
【図３】
0006472353.tif 000004
【図４】
0006472353.tif 000005
【図５】
0006472353.tif 000006
【図６】
0006472353.tif 000007
【図７】
0006472353.tif 000008
【図８】
0006472353.tif 000009